(57)【要約】【課題】  予め壁の厚さ寸法を確認するなどの作業を不要にして施工に伴う工数（時間）低減を図るとともに、個別の製作を不要にして生産性（量産性）の向上及びコストダウンを図る。様々な厚さを有する既設の壁にフィットさせ、施工品質及び汎用性を高める。【解決手段】  ダクト本体部２を、インナダクト部２ｘとアウタダクト部２ｙの組合わせにより構成し、アウタダクト部２ｙの内部にインナダクト部２ｘを挿通させることによりダクト本体部２を伸縮可能に構成するとともに、インナダクト部２ｘの一端部に屋内フランジ部３ａ，３ｂ又は屋外フランジ部４ａ，４ｂの一方を設け、かつアウタダクト部２ｙの一端部に屋内フランジ部３ａ，３ｂ又は屋外フランジ部４ａ，４ｂの他方を設ける。【選択図】  図１
2011064378.tif 000002
【特許請求の範囲】
【請求項１】
壁部に設けた貫通孔に収容するダクト本体部と、前記壁部の内面側に位置し、前記ダクト本体部の内側端に一体に設けることにより換気扇側を取付け可能な屋内フランジ部と、前記壁部の外面側に位置し、前記ダクト本体部の外側端に一体に設けることによりカバー部材側を取付け可能な屋外フランジ部とを具備する換気扇用ダクト装置において、前記ダクト本体部をインナダクト部とアウタダクト部の組合わせにより構成し、前記アウタダクト部の内部に前記インナダクト部を挿通させることにより前記ダクト本体部を伸縮可能に構成するとともに、前記インナダクト部の一端部に前記屋内フランジ部又は前記屋外フランジ部の一方を設け、かつ前記アウタダクト部の一端部に前記屋内フランジ部又は前記屋外フランジ部の他方を設けてなることを特徴とする換気扇用ダクト装置。
【請求項２】
前記屋内フランジ部及び前記屋外フランジ部は、前記インナダクト部及び前記アウタダクト部から前記ダクト本体部の内部側及び／又は外部側へ略直角に折曲して形成することを特徴とする請求項１記載の換気扇用ダクト装置。
【請求項３】
前記インナダクト部及び前記アウタダクト部は、断面を矩形に形成し、前記屋内フランジ部及び前記屋外フランジ部は、前記インナダクト部及び前記アウタダクト部の各端辺から折曲して形成した四つのフランジ片部により構成することを特徴とする請求項２記載の換気扇用ダクト装置。
【請求項４】
前記屋内フランジ部及び前記屋外フランジ部における相隣る各フランジ片部間に跨がらせて取付け、かつ相隣る各フランジ片部間の空間に位置する部位に、ボルト取付孔を有するＬ形の補助プレートを設けることを特徴とする請求項３記載の換気扇用ダクト装置。
【請求項５】
前記屋内フランジ部及び屋外フランジ部における外部側へ折曲して形成した各フランジ片部の先端辺には、前記ボルト取付孔に装着したボルトの頭部の高さよりも突出長を長くしたフランジ縁部を略直角に折曲して形成することを特徴とする請求項４記載の換気扇用ダクト装置。
【発明の詳細な説明】
【技術分野】
【０００１】
本発明は、壁部に設けることにより屋内側に換気扇を取付け、屋外側にカバー部材を取付ける換気扇用ダクト装置に関する。
【背景技術】
【０００２】
従来、壁部に設けた貫通孔に収容するダクト本体部を有し、このダクト本体部の内側端に換気扇を取付け、かつこのダクト本体部の外側端にカバー部材を設けた換気扇用ダクト装置は知られており、例えば、特許文献１には、窓の上方に配置され、通気ダクトが建物の外壁に露出する換気装置において、この換気扇の通気ダクトを、底部の開放されたダクトカバーで覆うとともに、当該ダクトカバーの外観を、他の窓の上方に配置されたシャッターカバーの外観に対して統一性を持たせた換気装置が開示されており、この換気装置は、壁部に設けた貫通孔に収容する通気ダクト（ダクト本体部）を有し、この通気ダクトの内側端に換気扇を取付け、かつこの通気ダクトの外側端にチャンバボックス（カバー部材）を設けている。
【先行技術文献】
【特許文献】
【０００３】
【特許文献１】特開平７−１２３７８号公報
【発明の概要】
【発明が解決しようとする課題】
【０００４】
しかし、上述した従来の換気装置（換気扇用ダクト装置）は、次のような問題点があった。
【０００５】
第一に、施工対象となる壁には様々な厚さの壁が存在するため、既設の壁に後付け等により換気装置を設ける場合、一旦、現場において壁の厚さ寸法を確認し、この後、施工する壁に対応する通気ダクトを個別に設計及び製作する必要がある。したがって、施工に伴う工数（時間）増加を招くとともに、それに伴う全体のコストアップを無視できない。
【０００６】
第二に、各壁に対応させて製作した専用の通気ダクトを用いるが、実際に施工した場合には、完全にフィットさせることが容易でない。即ち、寸法誤差等により僅かに隙間が空いてしまうなどの不具合を回避することが容易でなく、十分な施工品質を確保することができない。
【０００７】
第三に、換気扇等を取付けるためのフランジ部を外部側へ折曲形成した通気ダクトを用いる場合、当該通気ダクトを壁に施工する際には、フランジ部の外郭形状とほぼ同じ大きさの貫通孔を設ける必要がある。したがって、貫通孔の大きさ（断面）が必要以上に大きくなり、壁の無用な損傷を招くのみならず、壁の強度低下、更には無駄な施工時間及び施工労力を招く。
【０００８】
本発明は、このような背景技術に存在する課題を解決した換気扇用ダクト装置の提供を目的とするものである。
【課題を解決するための手段】
【０００９】
本発明は、上述した課題を解決するため、壁部Ｗに設けた貫通孔Ｈに収容するダクト本体部２と、壁部Ｗの内面Ｗｉ側に位置し、ダクト本体部２の内側端２ｉに一体に設けることにより換気扇Ｆ側を取付け可能な屋内フランジ部３ａ，３ｂと、壁部Ｗの外面Ｗｏ側に位置し、ダクト本体部２の外側端２ｏに一体に設けることによりカバー部材Ｃ側を取付け可能な屋外フランジ部４ａ，４ｂとを具備する換気扇用ダクト装置１を構成するに際して、ダクト本体部２を、インナダクト部２ｘとアウタダクト部２ｙの組合わせにより構成し、アウタダクト部２ｙの内部にインナダクト部２ｘを挿通させることによりダクト本体部２を伸縮可能に構成するとともに、インナダクト部２ｘの一端部に屋内フランジ部３ａ，３ｂ又は屋外フランジ部４ａ，４ｂの一方を設け、かつアウタダクト部２ｙの一端部に屋内フランジ部３ａ，３ｂ又は屋外フランジ部４ａ，４ｂの他方を設けてなることを特徴とする。
【００１０】
この場合、発明の好適な態様により、屋内フランジ部３ａ，３ｂ及び屋外フランジ部４ａ，４ｂは、インナダクト部２ｘ及びアウタダクト部２ｙからダクト本体部２の内部側及び／又は外部側へ略直角に折曲して形成することができる。また、インナダクト部２ｘ及びアウタダクト部２ｙは、断面を矩形に形成し、屋内フランジ部３ａ，３ｂ及び屋外フランジ部４ａ，４ｂは、インナダクト部２ｘ及びアウタダクト部２ｙの各端辺から折曲して形成した四つのフランジ片部３ａｐ…，３ｂｐ…，４ａｐ…，４ｂｐ…により構成することができる。さらに、屋内フランジ部３ａ，３ｂ及び屋外フランジ部４ａ，４ｂにおける相隣る各フランジ片部３ａｐと３ａｐ…，３ｂｐと３ｂｐ…，４ａｐと４ａｐ…，４ｂｐと４ｂｐ…間に跨がらせて取付け、かつ相隣る各フランジ片部３ａｐと３ａｐ…，３ｂｐと３ｂｐ…，４ａｐと４ａｐ…，４ｂｐと４ｂｐ…間の空間に位置する部位には、ボルト取付孔５ｈ…，６ｈ…を有するＬ形の補助プレート５…，６…を設けることができる。なお、屋内フランジ部３ａ及び屋外フランジ部４ａにおける外部側へ折曲して形成した各フランジ片部３ａｐ…，４ａｐ…の先端辺には、ボルト取付孔５ｈ…に装着したボルト７ｓ…の頭部７ｓｈ…の高さよりも突出長を長くしたフランジ縁部３ａｐｓ…，４ａｐｓ…を略直角に折曲して形成することができる。
【発明の効果】
【００１１】
このような構成を有する本発明に係る換気扇用ダクト装置１によれば、次のような顕著な効果を奏する。
【００１２】
（１）  アウタダクト部２ｙの内部にインナダクト部２ｘを挿通させることによりダクト本体部２を伸縮可能に構成するため、後付け等により様々な厚さを有する既設の壁Ｗに施工する場合であっても、壁Ｗの厚さに対応させてダクト本体部２の長さを自由に調整できる。したがって、予め壁Ｗの厚さ寸法を確認するなどの作業が不要になり、施工に伴う工数（時間）低減を図れるとともに、個別の製作が不要になり、生産性（量産性）の向上及びコストダウンを図ることができる。
【００１３】
（２）  ダクト本体部２が伸縮可能になることから様々な厚さを有する既設の壁Ｗに対してもフィットさせることができる。したがって、ダクト本体部２の長さと壁Ｗ厚さの寸法誤差により隙間が空いてしまうなどの施工時の不具合を解消できるため、施工品質を高めることができるとともに、様々な壁Ｗに適合させることができるため、汎用性を高めることができる。
【００１４】
（３）  好適な態様により、屋内フランジ部３ａ及び屋外フランジ部４ａを、インナダクト部２ｘ及びアウタダクト部２ｙからダクト本体部２の外部側へ略直角に折曲して形成した場合であっても、別体に構成したアウタダクト部２ａとインナダクト部２ｂを壁Ｗの貫通孔Ｈに対して外面Ｗｏ側と内面Ｅｉ側の双方からそれぞれ収容できるため、貫通孔Ｈの大きさをアウタダクト部２ｙの大きさ（断面）とほぼ同じにすることができる。したがって、壁Ｗの無用な損傷を回避でき、壁Ｗの強度低下を最低限に抑えることができるとともに、無駄な施工時間及び施工労力を排除できる。
【００１５】
（４）  好適な態様により、インナダクト部２ｘ及びアウタダクト部２ｙの断面を矩形に形成し、屋内フランジ部３ａ，３ｂ及び屋外フランジ部４ａ，４ｂを、インナダクト部２ｘ及びアウタダクト部２ｙの各端辺から折曲して形成した四つのフランジ片部３ａｐ…，３ｂｐ…，４ａｐ…，４ｂｐ…により構成すれば、インナダクト部２ｘと屋内フランジ部３ａ又は３ｂ、アウタダクト部２ｙと屋外フランジ部４ａ又は４ｂを、それぞれ容易に一体形成できる。
【００１６】
（５）  好適な態様により、屋内フランジ部３ａ，３ｂ及び屋外フランジ部４ａ，４ｂにおける相隣る各フランジ片部３ａｐと３ａｐ…，３ｂｐと３ｂｐ…，４ａｐと４ａｐ…，４ｂｐと４ｂｐ…間に跨がらせて取付け、かつ相隣る各フランジ片部３ａｐと３ａｐ…，３ｂｐと３ｂｐ…，４ａｐと４ａｐ…，４ｂｐと４ｂｐ…間の空間に位置する部位に、ボルト取付孔５ｈ…，６ｈ…を有するＬ形の補助プレート５…，６…を設ければ、相隣る各フランジ片部３ａｐと３ａｐ…，３ｂｐと３ｂｐ…，４ａｐと４ａｐ…，４ｂｐと４ｂｐ…間の空間を埋め、同時にボルト取付孔５ｈ…，６ｈ…を設けることができるとともに、屋内フランジ部３ａ，３ｂ及び屋外フランジ部４ａ，４ｂにおける四隅の機械的強度を高めることができる。
【００１７】
（６）  好適な態様により、屋内フランジ部３ａ及び屋外フランジ部４ａにおける外部側へ折曲して形成した各フランジ片部３ａｐ…，４ａｐ…の先端辺に、ボルト取付孔５ｈ…に装着したボルト７ｓ…の頭部７ｓｈ…の高さよりも突出長を長くしたフランジ縁部３ａｐｓ…，４ａｐｓ…を略直角に折曲して形成すれば、リブ機能により各フランジ片部３ａｐ…，４ａｐ…の機械的強度を高めることができるとともに、ボルト７ｓ…の頭部７ｓｈ…を隠して外観性を高めることができる。
【図面の簡単な説明】
【００１８】
【図１】本発明の好適実施形態に係る換気扇用ダクト装置を壁に施工した状態を示す側面断面図、
【図２】同換気扇用ダクト装置を構成するインナダクト部とアウタダクト部の一部断面側面図、
【図３】同換気扇用ダクト装置を構成するインナダクト部の断面裏面図、
【図４】同換気扇用ダクト装置を構成するインナダクト部の一部側面図及び補助プレートの一部断面側面図、
【図５】本発明の変更実施形態に係る換気扇用ダクト装置を壁に施工した状態を示す側面断面図、
【図６】同換気扇用ダクト装置を構成するインナダクト部とアウタダクト部の一部断面側面図、
【図７】同換気扇用ダクト装置を構成するインナダクト部の断面裏面図、
【発明を実施するための形態】
【００１９】
次に、本発明に係る好適実施形態を挙げ、図面に基づき詳細に説明する。
【００２０】
まず、本実施形態に係る換気扇用ダクト装置１の構成について、図１〜図４を参照して説明する。
【００２１】
換気扇用ダクト装置１は、図２に示すように、インナダクト部２ｘとアウタダクト部２ｙの組合わせにより構成するダクト本体部２を備える。これにより、ダクト本体部２は、図１に示すように、アウタダクト部２ｙの内部にインナダクト部２ｘを挿通させることにより伸縮可能となる。この場合、送風方向を考慮してインナダクト部２ｘは屋内側に配するとともに、アウタダクト部２ｙは屋外側に配することが望ましい。
【００２２】
インナダクト部２ｘは、スチール製の金属プレート材等により一体形成する。インナダクト部２ｘは、図３に示すように、断面を矩形（正方形）に形成するとともに、長さは設置する壁Ｗにおいて、最も薄い壁Ｗの厚さを想定して選定する。また、インナダクト部２ｘの一端部には屋内フランジ部３ａを一体に設ける。屋内フランジ部３ａは、インナダクト部２ｘの一端部に形成した四つのフランジ片部３ａｐ…により構成し、各フランジ片部３ａｐ…は、インナダクト部２ｘの一端部における各端辺から外部側へ略直に折曲して形成する。さらに、各フランジ片部３ａｐ…の先端辺には、それぞれフランジ縁部３ａｐｓ…を略直角に折曲して形成、即ち、インナダクト部２ｘ側へ折り返すように折曲して形成する。この場合、フランジ片部３ａｐ…からのフランジ縁部３ａｐｓ…の突出長は、後述するボルト７ｓ…の頭部７ｓｈ…の高さよりも長く選定する（図４参照）。
【００２３】
また、相隣る各フランジ片部３ａｐと３ａｐ…間には、図３に示すように、フランジ片部３ａｐ…の端辺幅と略同じ幅を有し、かつＬ形に形成した補助プレート５…を跨がらせて取付ける。この補助プレート５…は、フランジ縁部３ａｐｓ…に対向する辺部に、当該フランジ縁部３ａｐｓ…の突出長と同じ幅に形成した折曲縁部５ｓ…を一体に有するとともに、中央位置に形成したボルト取付孔５ｈ…を有する。補助プレート５…はインナダクト部２ｘと同様にスチール製の金属プレート材等を使用し、図３に示すように、相隣る各フランジ片部３ａｐと３ａｐ…間に重ね合わせるとともに、溶接（スポット溶接）等により固着する。このように、相隣る各フランジ片部３ａｐと３ａｐ…間の空間に位置する部位に、ボルト取付孔５ｈ…を有するＬ形の補助プレート５…を設ければ、相隣る各フランジ片部３ａｐと３ａｐ…間の空間を埋め、同時にボルト取付孔５ｈ…を設けることができるとともに、屋内フランジ部３ａにおける四隅の機械的強度を高めることができる利点がある。
【００２４】
そして、各ボルト取付孔５ｈ…には、図２に示すように、ボルト７ｓ…を挿入し、溶接等により固定する。この際、ボルト７ｓ…の頭部７ｓｈ…は図４に示すように、フランジ縁部３ａｐｓ…を設けた側に位置させる。前述したように、頭部７ｓｈ…の高さはフランジ縁部３ａｐｓ…の突出長よりも短いため、フランジ縁部３ａｐｓ…の先端を越えて突出することはない。したがって、このようなフランジ縁部３ａｐｓ…を設ければ、リブ機能により各フランジ片部３ａｐ…，４ａｐ…の機械的強度を高めることができるとともに、ボルト７ｓ…の頭部７ｓｈ…を隠して外観性を高めることができる利点がある。
【００２５】
一方、アウタダクト部２ｙも基本的にはインナダクト部２ｘと同様に構成することができる。即ち、アウタダクト部２ｙも、スチール製の金属プレート材等により一体形成し、断面を矩形（正方形）に形成するとともに、長さは設置する壁Ｗにおいて、最も薄い壁Ｗの厚さを想定して選定する。この際、図１に示すように、アウタダクト部２ｙの内部にインナダクト部２ｘを挿入できるように、アウタダクト部２ｙの断面における矩形（正方形）の各一辺をインナダクト部２ｘの一辺よりも稍長く選定する。また、アウタダクト部２ｙの一端部には屋内フランジ部３ａと同様の屋外フランジ部４ａを一体に設ける。アウタダクト部２ｙにおいて、４ａｐ…は屋外フランジ部４ａを構成する四つのフランジ片部を示すとともに、４ａｐｓ…は各フランジ片部４ａｐ…の先端辺にそれぞれ形成したフランジ縁部を示す。さらに、相隣る各フランジ片部４ａｐと４ａｐ…間には、補助プレート５…と同様の補助プレート６…を跨がらせて取付ければよい。
【００２６】
次に、本実施形態に係る換気扇用ダクト装置１の使用方法（施工方法）について、図１〜図４を参照して説明する。
【００２７】
換気扇用ダクト装置１を、図１に示す所定の壁Ｗに設ける場合には、まず、壁Ｗに貫通孔Ｈを穿設する。この場合、貫通孔Ｈは、屋外フランジ部４ａを除いたアウタダクト部２ｙの外郭形状よりも稍大きい断面形状に形成する。
【００２８】
そして、最初に、壁Ｗの外面Ｗｏ側からアウタダクト部２ｙを貫通孔Ｈに挿入し、屋外フランジ部４ａを壁Ｗの外面Ｗｏに当接させる。この際、アウタダクト部２ｙと貫通孔Ｈ間の隙間には、コーキング材等の充填材（固定材）Ｍを充填する。次いで、壁Ｗの内面Ｗｉ側からインナダクト部２ｘを貫通孔Ｈ内の内部におけるアウタダクト部２ｙに挿入し、屋内フランジ部３ａを壁Ｗの内面Ｗｉに当接させる。この際、インナダクト部２ｘと貫通孔Ｈ間の隙間には、コーキング材等の充填材（固定材）Ｍを充填する。また、アウタダクト部２ｙとインナダクト部２ｘの重なった部位は、インナダクト部２ｘの内面側から複数位置をビス止めしてアウタダクト部２ｙとインナダクト部２ｘを固定する。
【００２９】
ダクト本体部２は、このようなインナダクト部２ｘとアウタダクト部２ｙの組合わせにより構成するため、屋内フランジ部３ａ及び屋外フランジ部４ａを、インナダクト部２ｘ及びアウタダクト部２ｙからダクト本体部２の外部側へ略直角に折曲して形成した場合であっても、別体に構成したアウタダクト部２ａとインナダクト部２ｂを壁Ｗの貫通孔Ｈに対して外面Ｗｏ側と内面Ｅｉ側の双方からそれぞれ収容できるため、貫通孔Ｈの大きさをアウタダクト部２ｙの大きさ（断面）とほぼ同じにすることができる。したがって、壁Ｗの無用な損傷を回避でき、壁Ｗの強度低下を最低限に抑えることができるとともに、無駄な施工時間及び施工労力を排除できる。
【００３０】
この後、充填材Ｍが固化し、アウタダクト部２ｙ及びインナダクト部２ｘが壁Ｗに固定されたなら、図１に示すように、屋内フランジ部３ａに換気扇Ｆを取付けるとともに、屋外フランジ部４ａに、ウェザーカバー或いは防風フード等のカバー部材Ｃを取付ける。この際、換気扇Ｆは、この換気扇Ｆに一体に備える取付用フランジＦｆの四隅に設けた取付孔に、屋内フランジ部３ａにおける各ボルト７ｓ…を挿通させ、ナット７ｎ…を螺着して固定する。なお、例示の換気扇Ｆは業務用であり、フレーム７ｓに固定されたファンモータ７ｍ及びこのファンモータ７ｍのシャフトに取付けたファン７ｏを備える。一方、カバー部材Ｃは、このカバー部材Ｃに一体に備える取付用フランジＣｆの四隅に設けた取付孔に、屋外フランジ部４ａにおける各ボルト７ｓ…を挿通させ、ナット７ｎ…を螺着して固定する。Ｃｏはカバー部材Ｃにおける下方に向いた排風口を示す。以上により、換気扇用ダクト装置１を用いた換気扇Ｆ及びカバー部材Ｃの施工が完了する。
【００３１】
このように、本実施形態に係る換気扇用ダクト装置１によれば、アウタダクト部２ｙの内部にインナダクト部２ｘを挿通させることによりダクト本体部２を伸縮可能に構成するため、後付け等により様々な厚さを有する既設の壁Ｗに施工する場合であっても、壁Ｗの厚さに対応させてダクト本体部２の長さを自由に調整できる。したがって、予め壁Ｗの厚さ寸法を確認するなどの作業が不要になり、施工に伴う工数（時間）低減を図れるとともに、個別の製作が不要になり、生産性（量産性）の向上及びコストダウンを図ることができる。また、ダクト本体部２が伸縮可能になることから様々な厚さを有する既設の壁Ｗに対してもフィットさせることができる。したがって、ダクト本体部２の長さと壁Ｗ厚さの寸法誤差により隙間が空いてしまうなどの施工時の不具合を解消できるため、施工品質を高めることができるとともに、様々な壁Ｗに適合させることができるため、汎用性を高めることができる。加えて、インナダクト部２ｘ及びアウタダクト部２ｙの断面を矩形に形成し、屋内フランジ部３ａ，３ｂ及び屋外フランジ部４ａ，４ｂを、インナダクト部２ｘ及びアウタダクト部２ｙの各端辺から折曲して形成した四つのフランジ片部３ａｐ…，３ｂｐ…，４ａｐ…，４ｂｐ…により構成したため、インナダクト部２ｘと屋内フランジ部３ａ又は３ｂ、アウタダクト部２ｙと屋外フランジ部４ａ又は４ｂを、それぞれ容易に一体形成できる。
【００３２】
次に、本発明の変更実施形態に係る換気扇用ダクト装置１について、図５〜図７を参照して説明する。
【００３３】
図５〜図７に示す変更実施形態は、図１〜図４に示した実施形態に対して、屋内フランジ部３ｂ及び屋外フランジ部４ｂを、ダクト本体部２の内部側へ略直角に折曲形成した点が異なる。したがって、この場合、屋内フランジ部３ｂを四つのフランジ片部３ｂｐ…により構成するとともに、屋外フランジ部４ｂを四つのフランジ片部４ｂｐ…により構成する点は、図１〜図４に示した実施形態と同じになるが、各フランジ片部３ｂｐ…及び４ｂｐ…の先端には、同実施形態におけるフランジ片部３ａｐ…の先端に設けたフランジ縁部３ａｐｓ…及びフランジ片部４ａｐ…の先端に設けたフランジ縁部４ａｐｓ…は設けない。また、相隣る各フランジ片部３ｂｐと３ｂｐ…間及び相隣る各フランジ片部４ｂｐと４ｂｐ…間には、補助プレート５…と同様の補助プレート６…を跨がらせて取付けるが、この補助プレート６…には、補助プレート５…に設けた折曲縁部５ｓ…は形成しない。
【００３４】
変更実施形態に係る換気扇用ダクト装置１も、図５に示すように、前述した図１に示した換気扇用ダクト装置１と同様に所定の壁Ｗに設けることができる。図５は、換気扇用ダクト装置１を壁Ｗに施工した状態を示すとともに、特に、ダクト本体部２を最も短縮させた状態を示している。したがって、例示の壁Ｗは、施工可能な最も薄い壁となり、インナダクト部２ｘとアウタダクト部２ｙはほぼ全体が重なった状態となる。なお、図５〜図７において、図１〜図４と同一部分には同一符号を付してその構成を明確にするとともに、その詳細な説明は省略する。
【００３５】
以上、好適実施形態（変更実施形態）について詳細に説明したが、本発明は、このような実施形態に限定されるものではなく、細部の構成，形状，素材，数量等において、本発明の要旨を逸脱しない範囲で、任意に変更，追加，削除することができる。
【００３６】
例えば、インナダクト部２ｘに外部側に折曲形成した屋内フランジ部３ａを設け、アウタダクト部２ｙに内部側に折曲形成した屋外フランジ部４ｂを設けてもよいし、インナダクト部２ｘに内部側に折曲形成した屋内フランジ部３ｂを設け、アウタダクト部２ｙに外部側に折曲形成した屋外フランジ部４ａを設けてもよい。また、各フランジ部３ａ，３ｂ，４ａ，４ｂはインナダクト部２ｘ，アウタダクト部２ｙに一体形成した場合を示したが、別体に形成したものを取付ける場合を排除するものではない。一方、インナダクト部２ｘ及びアウタダクト部２ｙは、断面を矩形に形成した場合を示したが、断面を円形に形成してもよい。この場合、補助プレート５…，６…は不要となる。さらに、ボルト７ｓ…とナット７ｎ…により固定する場合を示したが、他の各種固定手段を利用できる。
【産業上の利用可能性】
【００３７】
本発明に係る換気扇用ダクト装置は、各種の壁部に設けることにより、屋内側に換気扇を取付け、かつ屋外側にカバー部材を取付ける際に利用することができる。
【符号の説明】
【００３８】
１：換気扇用ダクト装置，２：ダクト本体部，２ｉ：ダクト本体部の内側端，２ｏ：ダクト本体部の外側端，２ｘ：インナダクト部，２ｙ：アウタダクト部，３ａ：屋内フランジ部，３ｂ：屋内フランジ部，３ａｐ…：フランジ片部，３ｂｐ…：フランジ片部，３ａｐｓ…：フランジ縁部，４ａ：屋外フランジ部，４ｂ：屋外フランジ部，４ａｐ…：フランジ片部，４ｂｐ…：フランジ片部，４ａｐｓ…：フランジ縁部，５…：補助プレート，５ｈ…：ボルト取付孔，６…：補助プレート，６ｈ…：ボルト取付孔，７ｓ…：ボルト，７ｓｈ…：ボルトの頭部，Ｗ：壁部，Ｗｉ：壁部の内面，Ｗｏ：壁部の外面，Ｈ：貫通孔，Ｆ：換気扇，Ｃ：カバー部材
【図１】
2011064378.tif 000003
【図２】
2011064378.tif 000004
【図３】
2011064378.tif 000005
【図４】
2011064378.tif 000006
【図５】
2011064378.tif 000007
【図６】
2011064378.tif 000008
【図７】
2011064378.tif 000009